(57)【要約】【課題】記録ヘッドやインクごとの性能のバラツキによる印字品位の低下を防止する技術の提供。【解決手段】インクを吐出して記録を行う記録ヘッド２１と、原稿画像を読み取る画像読取用スキャナ２０３と、記録ヘッド２１の外郭に設けられ、当該記録ヘッドやインクに関する情報を有するバーコードラベル４１とを備え、記録ヘッド２１は、画像読取用スキャナ２０３によりバーコードラベル４１が有する情報を読み取り可能なように、画像読取スキャナ２０３の読取範囲内に配置され又は移動する。【選択図】      図１
2005169810.tif 000002
【特許請求の範囲】
【請求項１】
インクを吐出して記録を行う記録ヘッドと、
原稿画像を読み取る画像読取手段と、
前記記録ヘッドに設けられ、当該記録ヘッドやインクに関する情報を有する情報保持手段とを備え、
前記画像読取手段は、前記情報保持手段が有する情報を前記記録ヘッドの外部から読み取ることを特徴とする記録装置。
【請求項２】
前記記録ヘッドは、当該記録ヘッドに供給するための前記インクを収容する着脱可能なインクタンクを含み、前記情報保持手段は前記インクタンクに設けられて当該インクに関する情報を有することを特徴とする請求項１に記載の記録装置。
【請求項３】
前記記録ヘッドは、前記画像読取手段により前記情報保持手段が有する情報を読み取り可能なように、当該画像読取手段の読取範囲内に配置され又は移動することを特徴とする請求項１又は２に記載の記録装置。
【請求項４】
前記画像読取手段により読み取った情報を元に前記記録ヘッドによる記録動作を制御する制御手段を更に備えることを特徴とする請求項１乃至３のいずれか１項に記載の記録装置。
【請求項５】
前記画像読取手段による前記情報を読み取る際の解像度を高めるために、前記情報保持手段と前記画像読手段との間に光学系を配置したことを特徴とする請求項１乃至４のいずれか１項に記載の記録装置。
【請求項６】
前記情報保持手段は、前記記録ヘッドやインクに関する情報が記録されたバーコードラベルであることを特徴とする請求項１乃至５のいずれか１項に記載の記録装置。
【請求項７】
前記情報保持手段は、前記記録ヘッドの一部の形状部からインク色を検知するインク色表示部であることを特徴とする請求項１乃至６のいずれか１項に記載の記録装置。
【請求項８】
前記情報保持手段は、前記記録ヘッドの少なくとも一部を透明にして前記記録ヘッドにおける前記インクの残量を検知可能なインク残量表示部であることを特徴とする請求項１乃至７のいずれか１項に記載の記録装置。
【請求項９】
インクを吐出して記録を行う記録ヘッドと、原稿画像を読み取る画像読取手段とを備える記録装置における記録制御方法であって、
前記画像読取手段により、前記記録ヘッドやインクに関する情報を読み取る工程と、
前記画像読取手段により読み取った情報を元に前記記録ヘッドによる記録動作を制御する工程とを備えることを特徴とする方法。
【請求項１０】
前記画像読取手段により、前記記録ヘッドやインクに関する情報を、前記記録ヘッドに設けられた情報保持手段から読み取ることを特徴とする請求項９に記載の方法。
【請求項１１】
前記画像読取手段により、前記インクに関する情報を、前記記録ヘッドに着脱可能に設けられ、当該記録ヘッドに供給するための前記インクを収容するインクタンクに設けられた情報保持手段から読み取ることを特徴とする請求項９に記載の方法。
【請求項１２】
前記画像読取手段により、前記記録ヘッドやインクに関する情報を、前記記録ヘッドによって被記録媒体に形成された所定のプリントパターンから読み取ることを特徴とする請求項９に記載の方法。
【発明の詳細な説明】
【技術分野】
【０００１】
本発明は、例えば、吐出口からインクを吐出可能な記録ヘッドを用いて被記録媒体に画像を記録する画像形成用プリンタと、原稿画像を走査して読み取る画像読取用スキャナとを備えるインクジェット記録装置に関するものである。
【背景技術】
【０００２】
プリンタ、複写機、ファクシミリ等の機能を有する記録装置、あるいはコンピューターやワードプロセッサ等を含む複合機やワークステーションの出力機器として用いられる記録装置は、画像情報に基づいて用紙やプラスチック薄板（ＯＨＰなど）等の被記録媒体に画像（文字や記号なども含む）を記録していくように構成されている。前記記録装置は、使用する記録手段の記録方式により、インクジェット式、ワイヤドット式、感熱式、熱転写式、レーザービーム式等に分けることができる。
【０００３】
被記録媒体の搬送方向（副走査方向）と交差する方向に主走査する記録方式を採るシリアルタイプの記録装置においては、被記録媒体を所定の記録位置にセットした後、被記録媒体に沿って移動するキャリッジ上に搭載した記録手段（記録ヘッド）によって画像を記録（主走査）し、１行分の記録を終了した後に所定量の紙送り（副走査）を行い、その後に次の行の画像を記録（主走査）するという動作を繰り返すことにより、被記録媒体全域の画像記録が行なわれる。
【０００４】
そのうち、インクジェット式（インクジェット記録装置）は、記録手段（記録ヘッド）から被記録媒体にインクを吐出して記録を行なうものであり、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも、多色のインクを使用してカラー画像を記録するのが容易であるなどの利点を有している。
【０００５】
特に、熱エネルギーを利用してインクを吐出するインクジェット式の記録手段（記録ヘッド）は、エッチング、蒸着、スパッタリング等の半導体製造プロセスを経て、基板上に製膜された電気熱変換体、電極、液路壁、天板などを形成することにより、高密度の液路配置（吐出口配置）を有するものを容易に製造することができ、一層のコンパクト化を図ることができる。また、ＩＣ技術やマイクロ加工技術の長所を活用することにより、記録手段の長尺化や面状化（２次元化）が容易であり、記録手段のフルマルチ化および高密度実装化も容易である。また、近年では、上記インクジェット記録装置と画像読取用スキャナを組み合わせたマルチファンクションプリンタ（ＭＦＰ）が普及し、ファクシミリやコピー機として用いられるようになっている。
【０００６】
ところで、インクジェット記録装置において、ヘッドに異常が発生して画像品質が低下した場合や、インクタンクのインク残量が少なくなった場合などに備えて、記録ヘッドやインクタンクを交換可能にしている。
【０００７】
このように記録ヘッドを交換可能とした場合、ユーザーによってヘッド性能（これには、ヘッドの特性を含む意味で用いる。）の異なる記録ヘッドがインクジェット記録装置本体に装着されることになり、交換によって所望の性能を維持できなくなり、画像品質が低下するなどのおそれがある。そのため、インクジェット記録装置自体の所望の性能を保証するため、記録ヘッドのヘッド性能のバラツキを絞り込んで均一な性能の記録ヘッドのみを出荷するか、或いは、記録ヘッドのバラツキが生じた場合でも性能的に追従できるようにする必要がある。
【０００８】
そこで、従来のインクジェット記録装置として、例えば、特開昭６１−１９７２４７号公報に記載されているように、記録ヘッドのインタフェース部に記録ヘッドの駆動電圧を電気的にビット信号として設定する電圧設定部を備え、このインタフェース部と電気的に接続されることで電圧設定部に設定された駆動電圧をビット信号として読み出し、このビット信号に基づいてヘッド駆動電圧を制御するようにしたものが知られている。
【０００９】
また、特開平９−３１４８２８号公報では、記録ヘッドユニットの外郭に保持されたヘッド性能の情報を読み取るためのセンサを用意し、読み出された情報に基づいてアクチュエータ素子の駆動条件を設定するようにしたものが記載されている。
【特許文献１】特開昭６１−１９７２４７号公報
【特許文献２】特開平９−３１４８２８号公報
【発明の開示】
【発明が解決しようとする課題】
【００１０】
しかしながら、上述した従来のインクジェット記録装置にあっては、記録ヘッドユニットに駆動電圧を電気的にビット信号として設定する電圧設定部を備えたインタフェース部（例えば、ＥＥＰＲＯＭなど）を設けなければならないので、コストが高くなると共に、ビット信号を設定するための作業が煩雑である。また、後者のインクジェット記録装置においても、ヘッド性能の情報を読み取るための専用のセンサを用意しなければならないためコストが高くなり、そのセンサ用の情報伝達部や制御部を用意する必要がある。
【００１１】
本発明は、上記課題に鑑みてなされ、その目的は、簡単な構成により、記録ヘッドやインクごとの性能のバラツキによる印字品位の低下を防止する技術を提供することである。
【課題を解決するための手段】
【００１２】
上記課題を解決し、目的を達成するために、本発明の記録装置は、インクを吐出して記録を行う記録ヘッドと、原稿画像を読み取る画像読取手段と、前記記録ヘッドに設けられ、当該記録ヘッドやインクに関する情報を有する情報保持手段とを備え、前記画像読取手段は、前記情報保持手段が有する情報を前記記録ヘッドの外部から読み取る。
【００１３】
また、上記装置において、前記記録ヘッドは、当該記録ヘッドに供給するための前記インクを収容する着脱可能なインクタンクを含み、前記情報保持手段は前記インクタンクに設けられて当該インクに関する情報を有する。
【００１４】
また、上記装置において、前記記録ヘッドは、前記画像読取手段により前記情報保持手段が有する情報を読み取り可能なように、当該画像読取手段の読取範囲内に配置され又は移動する。
【００１５】
また、上記装置において、前記画像読取手段により読み取った情報を元に前記記録ヘッドによる記録動作を制御する制御手段を更に備える。
【００１６】
また、上記装置において、前記画像読取手段による前記情報を読み取る際の解像度を高めるために、前記情報保持手段と前記画像読手段との間に光学系を配置した。
【００１７】
また、上記装置において、前記情報保持手段は、前記記録ヘッドやインクに関する情報が記録されたバーコードラベルである。
【００１８】
また、上記装置において、前記情報保持手段は、前記記録ヘッドの一部の形状部からインク色を検知するインク色表示部である。
【００１９】
また、上記装置において、前記情報保持手段は、前記記録ヘッドの少なくとも一部を透明にして前記記録ヘッドにおける前記インクの残量を検知可能なインク残量表示部である。
【００２０】
また、本発明の記録制御方法は、インクを吐出して記録を行う記録ヘッドと、原稿画像を読み取る画像読取手段とを備える記録装置における記録制御方法であって、前記画像読取手段により、前記記録ヘッドやインクに関する情報を読み取る工程と、前記画像読取手段により読み取った情報を元に前記記録ヘッドによる記録動作を制御する工程とを備える。
【００２１】
また、上記方法において、前記画像読取手段により、前記記録ヘッドやインクに関する情報を、前記記録ヘッドに設けられた情報保持手段から読み取る。
【００２２】
また、上記方法において、前記画像読取手段により、前記インクに関する情報を、前記記録ヘッドに着脱可能に設けられ、当該記録ヘッドに供給するための前記インクを収容するインクタンクに設けられた情報保持手段から読み取る。
【００２３】
また、上記方法において、前記画像読取手段により、前記記録ヘッドやインクに関する情報を、前記記録ヘッドによって被記録媒体に形成された所定のプリントパターンから読み取る。
【００２４】
なお、本発明は、上記いずれかの方法を記録装置のコンピュータに実行させるためのプログラムや当該プログラムを格納するコンピュータ読み取り可能な記録媒体としても適用可能である。
【発明の効果】
【００２５】
以上説明したように、本発明によれば、画像読取用スキャナ等の画像読取手段を用いて記録ヘッドやインクタンクに付された情報保持手段からヘッド情報やインク情報を読み取ることが可能となるので、簡単な構成かつ低コストで記録装置本体に対して記録ヘッドやインクの性能に関する情報を与えることができるようになる。
【００２６】
また、画像読取手段が、記録ヘッドによって被記録媒体に形成された所定のプリントパターンを読み取り可能であることで、プリントパターンから記録ヘッドやインクに関する情報を取得することができる。
【００２７】
更に、画像読取手段と情報保持手段又はプリントパターンが形成された被記録媒体の間に光学系を配置することにより、情報保持手段から情報を読み取るときの解像度を向上させることができる。
【発明を実施するための最良の形態】
【００２８】
以下に、本発明に係る実施の形態について添付図面を参照して詳細に説明する。
【００２９】
尚、以下に説明する実施の形態では、本発明の記録装置としてインクジェット記録装置に適用した例について説明するが、これは本発明の実現手段としての一例であり、本発明は、その趣旨を逸脱しない範囲で下記実施形態を修正又は変形したものに適用可能である。また、本発明は、後述する実施形態である装置の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
［第１実施形態］
図２は、本発明に適用可能なプリンタ・イメージスキャナ一体型インクジェット記録装置の構成例を説明するための要部の斜視図である。プリンタ部にはシリアルスキャンタイプのインクジェット記録装置を適用している。
【００３０】
図２において、２１は記録ヘッドであり、本実施形態では、記録ヘッド２１は、Ｋ（ブラック）、Ｃ（シアン）、Ｍ（マゼンタ）及びＹ（イエロー）の４色のインクタンク２２Ｋ，２２Ｃ，２２Ｍ，２２Ｙを搭載している。そして、記録ヘッド２１は、駆動モータ２３の駆動力を伝達する駆動ベルト２４の一部に連結され、往復移動を可能にしている。記録紙等の被記録媒体２５に対して僅かのギャップを保った状態で記録ヘッド２１を往復移動させながら、インク滴を被記録媒体２５に吐出して印字を行う。
【００３１】
また、図２において、被記録媒体２５は、給紙搬送機構２６により記録ヘッド２１の移動方向と垂直方向に搬送される。そして、１行分の記録を行う毎に被記録媒体２５を所定量ピッチだけ搬送して次の１行を記録し、以下、このような記録動作を繰り返して被記録媒体２５の全域に画像を形成していく。
【００３２】
記録ヘッド２１の往復範囲内であって、記録領域を外れた所定位置（例えば、ホームポジション）には、記録ヘッド２１の各吐出口からインクを強制的に排出させることにより、各吐出口内の増粘インク、固着インク、ゴミ、気泡等の異物を除去し、記録ヘッド２１の吐出機能を正常に回復させるための吸引回復キャップ２７が配設されている。この吸引回復キャップ２７は、非印字時には、インクの蒸発を防ぐために記録ヘッド２１をキャッピングしている。又、この吸引回復キャップ２７に対してインクを吐出することによって、回復処理を行う予備吐出を行うこともできる。
【００３３】
次に、イメージスキャナの構成について説明する。
【００３４】
図２に示すプリンタ部の上面は原稿が載置される原稿台２０１として構成されている。原稿台２０１に載置された原稿を押さえる原稿台カバー２０２には、スキャナユニット２０３が配置され、原稿の上面側から画像を読み取るために、原稿台カバー２０２にはガラスなどの透明なプラテン板２０４が設置されている。スキャナユニット２０３は原稿の上面側を照射する照明ランプ、原稿からの反射光を受光するミラー、ミラーからの反射光を更に集光レンズを介して受光するイメージセンサによって構成されている。
【００３５】
スキャナユニット２０３はモータにより駆動される駆動ベルト２０５によって移動しつつ、原稿台２０１上に載置された原稿の全面から順次画像を読み取って行くように動作する。かくして、スキャナユニット２０３により読み取られた画像は光電変換されて画像信号が出力される。
【００３６】
次に、記録ヘッド２１について説明する。
【００３７】
図３は記録ヘッド２１を下方から見た斜視図である。駆動情報はホスト（例えば、ＰＣ等）からインクジェット記録装置に送られ、記録装置の駆動制御手段から出力される信号が電気接点基板３１を介して記録ヘッド２１に伝達される。そして、印字信号は、電気配線部材（例えば、ＴＡＢ等）３２と電気接合部３３を通り、記録ヘッド２１内のノズルが配置されている記録チップ３４に送られる。記録チップ３４は、エッチング、蒸着、スパッタリング等の半導体製造プロセスを経て、基板上に成膜された電気熱変換素子（ヒータ）の上に、インク流路や吐出口が形成されたものである。電気熱変換素子に印加された信号は熱エネルギーに変換され、この熱エネルギーによりインクに膜沸騰が生じ、そのときの気泡の成長、収縮によるインクの圧力変化を利用して、吐出口からインクが吐出される。吐出されたインク滴は、被記録媒体に着弾することによって画像を記録する。
【００３８】
このインクジェット記録装置は、ヘッドに異常が発生して画像品質が低下した場合などに備えて、記録ヘッドを交換可能にしている。このような場合、ユーザーによってヘッド性能の異なる記録ヘッドがインクジェット記録装置本体に装着されることになり、交換によって所望の性能を維持できなくなり、画像品質が低下するなどのおそれがある。よって、インクジェット記録装置自体の所望の性能を保証するため、記録ヘッドのヘッド性能のバラツキが生じた場合でも性能的に追従できるようにする必要がある。
【００３９】
そのため、記録ヘッド２１を上方から見た斜視図である図４に示すように、記録ヘッド２１の外郭にヘッド性能に関する情報をバーコードで保持或いは表示する情報保持手段である被記録媒体としてのバーコードラベル４１が貼り付けられている。ここでは、このバーコードラベル４１は、ヘッドＩＤ、駆動パルス幅Ｐｗ、駆動電圧Ｖｏｐなどに関するヘッド情報を記録したものである。これらヘッド情報を読み込み、そのヘッド性能に適合した駆動、印字制御を行うことで、インクジェット記録装置の所望の性能を保証することが可能となる。
【００４０】
従来では、記録装置内部を側方から模式的に示した図５のようにヘッド情報を読み込む手段として専用のセンサを用意していた。５１がスキャナユニット、５２がセンサ、５３が記録ヘッドである。
【００４１】
しかし、本発明に係る実施形態によれば、図１のようにスキャナユニット２０１を原稿台カバー２０２側に配置しているので、そのスキャナユニット２０１を用いて記録ヘッドの情報保持手段としてのバーコードラベル４１からヘッド情報を読み出すことが可能となる。ヘッド情報の読み出しは、プリンタ本体の電源投入時、記録ヘッドの交換時、ホストから読み取り指示を受けた時に行われる。そのタイミングになると、記録ヘッドとイメージスキャナは両者が対向するような所定位置（例えば、記録ヘッドのホームポジション）に移動し、ヘッド情報の読み出しを行う。また、読み込み所定位置は、記録ヘッドの移動可能範囲とイメージスキャナの読み取り可能範囲が重なる領域、つまり、図１を原稿カバー２０２側から見た図である図６で示す太線で囲まれた領域Ａ内の位置であれば良い。なお、原稿台２０１（図２参照）の読み込み所定位置にあたる部分はガラスなどの透明なプラテン板が配置されている。
【００４２】
イメージスキャナによって読み取ったヘッド情報はプリンタ本体の印字制御部に送られ、印字制御部はヘッド情報に基づいた駆動パルス幅、駆動電圧、キャリッジの走査速度、紙送りの搬送量等の印字制御を行い、インクジェット記録装置の所望の最適条件で印字を行うことが可能となる。
【００４３】
このように、スキャナユニット２０１を原稿台カバー２０２側に配置してスキャナユニット２０１の読み取り範囲内に記録ヘッド２１が移動可能な構成にしたので、そのスキャナユニット２０１を用いて記録ヘッド２１のバーコードラベル４１からヘッド情報を読み出すことが可能となり、簡単な構成かつ低コストでプリンタ本体に対してヘッドの性能に関する情報を与えることができるようになる。そして、記録ヘッドが交換された場合でも、例えばユーザーやサービスマン等によるヘッド駆動の調整操作を行うことなく、自動的に当該交換後の記録ヘッドに応じた印字設定を行うことができる。
【００４４】
以上、記録ヘッドのヘッド情報の読み出しについて述べてきたが、インクタンクのインク残量が少なくなった時などに備えてインクタンクを交換可能にしている場合でもほぼ同等の構成によってインクタンクからインク情報の読み出しができる。インクタンク２２（図７参照）の外郭にインク性能に関する情報をバーコードで保持又は表示する情報保持手段である被記録媒体としてのバーコードラベル７１を貼り付ける。このバーコードラベル７１には、インクＩＤ、インク特性、インク内容量などに関するインク情報を記録しておく。これらインク情報を読み込み、そのインク性能に適応した駆動、印字制御を行うことで、インクジェット記録装置の所望の性能を保証することが可能となる。
［第２実施形態］
次に、本発明に係る第２実施形態について説明する。
【００４５】
図８は本実施形態に適用可能なプリンタ・イメージスキャナ一体型インクジェット記録装置の構成を示し、図８（ａ）が側面図、図８（ｂ）が上面図である。なお、上記第１実施形態と同様である部分は説明を省略する。
【００４６】
イメージスキャナ部の原稿台カバー８０１の上部にプリンタ本体が搭載されており、原稿台８０２にスキャナユニット８０３が設置され、記録ヘッド８０４とスキャナユニット８０３が対向する配置になっている。記録ヘッド８０４を下方から見た斜視図である図９に示すように、記録ヘッド８０４の外郭にヘッド性能に関する情報を保持又は表示する情報保持手段であるバーコードラベル９１を貼り付けている。このバーコードラベル９１に表示されているヘッドＩＤ、駆動パルス幅Ｐｗ、駆動電圧Ｖｏｐなどヘッドに関する情報をスキャナユニット８０３で記録ヘッド８０４の情報保持手段としてのバーコードラベル９１からヘッド情報を読み出すことが可能となり、第１実施形態と同様な効果が得られる。
【００４７】
また、インクタンク９２内に格納されたインクの残量が見えるように、インクタンク９２の少なくとも一部（例えば図９のＢの部分）を透明にしておけば、スキャナユニット８０３によってインクタンク９２内のインクの残量検知が可能となる。このインクタンク９２の透明部を、読み取り所定位置において、スキャナユニット８０３によって記録ヘッド８０４の下方から読み取る。インク残量が十分にインクタンク９２内にある時は、透明部の所からインクの色が見え、そしてインク残量がほとんどなくなったときには、透明部の所にはインクの色が見えない。よって、このインクタンク９２の透明部を読み取った画像情報をプリンタ本体に送り、その画像情報を画像処理してインクの色を認識できなかった場合は、インク残量が少ない警告信号をホスト側に送信することができる。
［第３実施形態］
次に、本発明に係る第３実施形態について説明する。
【００４８】
図１０は本実施形態に適用可能なプリンタ・イメージスキャナ一体型インクジェット記録装置内部を側方から模式的に示している。
【００４９】
上述した実施形態と同様にスキャナユニット２０３と記録ヘッド２１が対向するような構成を取り、さらにその両者に間にレンズ２０６Ａを配置してある。このレンズ２０６Ａは情報保持手段４１の読み取り所定位置に固定さていても良いし、記録ヘッド２１やスキャナユニット２０３に追従して移動しても良い。こうすることにより、スキャナユニット２０３によって情報保持手段４１から情報を読み取るときの解像度を向上させることが可能となる。言い換えれば、決められたスペースの情報保持手段４１に多くの情報を細かく表示してもスキャナユニット２０３によって読み取ることができるようになる。例えば、交換可能な記録ヘッドとインクタンクが一体型となった記録ヘッドユニットの場合、所望の性能を得るために記録ヘッドとインクの両者の情報を決められたスペースの情報保持手段４１にすべて保持又は表示させることができる。また、より詳細な情報を表示させておけば、より最適な条件で印字することが可能となる。さらに、レンズの焦点が被記録媒体２５に合うようなレンズ２０６Ｂを用いれば、記録ヘッド２１によって被記録媒体２５に印字された所定のプリントパターンをスキャナユニット２０３で読み取ることで、吐出タイミングの調整、プリンタ本体に取り付けた記録ヘッドの傾きなど記録ヘッド２１の情報が得られる。これらの情報をプリンタ本体に送信して制御することで、ユーザーが直接、調整操作を行わずに自動調整をすることも可能となる。
【図面の簡単な説明】
【００５０】
【図１】本発明に係る第１実施形態のインクジェット記録装置の要部を示す図である。
【図２】本発明に係る第１実施形態のインクジェット記録装置の要部構成を示す一部を破断した斜視図である。
【図３】本発明に係る第１実施形態のインクジェット記録装置の記録ヘッドを下方から見た斜視図である。
【図４】本発明に係る第１実施形態のインクジェット記録装置の記録ヘッドを上方から見た斜視図である。
【図５】従来例のインクジェット記録装置の構成を示す図である。
【図６】本発明に係る記録ヘッドの走査範囲とスキャナユニットの読み取り関係を示す図である。
【図７】本発明に係る第１実施形態のインクジェット記録装置の記録ヘッドを上方から見た斜視図である。
【図８】本発明に係る第２実施形態のインクジェット記録装置の要部を示す図である。
【図９】本発明に係る第２実施形態のインクジェット記録装置の記録ヘッドを下方から見た斜視図である。
【図１０】本発明に係る第３実施形態のインクジェット記録装置の要部を示す図である。
【符号の説明】
【００５１】
２１  記録ヘッド
２２Ｙ，２２Ｍ，２２Ｃ，２２Ｋ  インクタンク
２３  駆動モータ
２４  駆動ベルト
２５  被記録媒体
２６  給紙搬送機構
２７  吸引回復キャップ
３１  電気接点基板部
３２  電気配線部材
３３  電気接合部
３４  記録チップ
４１  バーコードラベル
５１  スキャナユニット
５２  センサ
５３  記録ヘッド
７１，９１  バーコードラベル
９２    インクタンク
２０１  原稿台
２０２  原稿台カバー
２０３  スキャナユニット
２０４  プラテン板
２０５  駆動ベルト
２０６Ａ，２０６Ｂ  レンズ
８０１  原稿台カバー
８０２  原稿台
８０３  スキャナユニット
８０４  記録ヘッド
【図１】
2005169810.tif 000003
【図２】
2005169810.tif 000004
【図３】
2005169810.tif 000005
【図４】
2005169810.tif 000006
【図５】
2005169810.tif 000007
【図６】
2005169810.tif 000008
【図７】
2005169810.tif 000009
【図８】
2005169810.tif 000010
【図９】
2005169810.tif 000011
【図１０】
2005169810.tif 000012